(57)【要約】      （修正有）【課題】発射電波と反射電波を分析し、使用する精油の種類及び用量をアドバイスできる非線形診断分析設備を提供する。【解決手段】少なくとも１個のセンサー１０、検知ユニット１１、コントロールユニット１２を有する。センサー１０の一端は被験者の頭部と連接し発射電波を発射し、センサー１０を通して、被験者の頭部は反射電波をフィードバックする。検知ユニット１１はセンサー１０と連接し、センサー１０に発射電波を発射させ、反射電波を受信する。コントロールユニット１２は検知ユニット１１と連接し、コントロールユニット１２は演算ユニット１３を有し、反射電波を演算し、発射電波と反射電波とを比較対象し、被験者の検査情報を取得する。コントロールユニット１２は精油データベース１４を有し、複数種の精油情報と精油使用方法を確立する。また、コントロールユニット１２はスクリーン１５を有し、検査情報を表示する。【選択図】図１
0003200926.tif 000002
【実用新案登録請求の範囲】
【請求項１】
非線形診断分析設備であって、少なくとも１個のセンサー、検知ユニット、コントロールユニットを有し、
前記少なくとも１個のセンサーは、一端が被験者の頭部と連接し、発射電波を発射し、前記センサーを通して、被験者の頭部は反射電波をフィードバックし、
前記検知ユニットは、前記センサーと連接し、前記センサーを駆動し、前記センサーに前記発射電波を発射させ、反射電波を受信し、
前記コントロールユニットは、前記検知ユニットと連接し、前記検知ユニットをコントロールし、前記コントロールユニットは、演算ユニットを有し、前記反射電波を演算し、前記発射電波と前記反射電波とを比較対象し、被験者の検査情報を取得し、前記演算ユニットは、精油データベースを有し、複数種の精油情報と精油使用方法を確立し、これにより前記演算ユニットは、前記反射電波を演算後、検査情報と前記精油データベースとを比較対象し、適した精油の種類と用量を選び出し、前記コントロールユニットは、スクリーンを有し、前記検査情報を表示し、また使用が推奨される精油の種類と精油の使用方法を表示することを特徴とする非線形診断分析設備。
【請求項２】
前記検査情報は、被験者のすべての器官の構造及び検査数値であることを特徴とする請求項１に記載の非線形診断分析設備。
【請求項３】
前記コントロールユニットは、モニターと連接し、被験者に見せることができることを特徴とする請求項１或いは２に記載の非線形診断分析設備。
【請求項４】
前記コントロールユニットは、ノートＰＣであることを特徴とする請求項１或いは２に記載の非線形診断分析設備。
【請求項５】
前記コントロールユニットは、コンピューター本体であることを特徴とする請求項１或いは２に記載の非線形診断分析設備。
【考案の詳細な説明】
【技術分野】
【０００１】
本考案は非線形診断分析設備に関し、特に発射電波を人体へと発射し人体が反射電波をフィードバックすることで、発射電波及び反射電波を分析し、使用する精油の種類及び用量のアドバイスに用いる設備に関する。
【背景技術】
【０００２】
従来の健康診断は、線形診断の一種で、臓器や器官に異常がないかを検査するものである。
健康診断により、個人の身体状況を理解し、初期症状や危険因子を発見し、早期治療に結びつけることができる。
【０００３】
しかしながら、従来の医学機器による検査は、侵襲性医療をもたらし、人体を傷つける状況が発生する恐れがある。
例えば、Ｘ線或いはＭＲＩなどは放射線を含み、その副作用を排除することが難しいものもある。
【０００４】
一方、非線形診断は、器官の形態になんらの変化も見られない時に診断をつけることができる。
非線形診断は、変化の過程のすべてを見ることができる。
いわゆる非線形診断とは、伝送及び受信する電波の周波数を比較対象することで、被験者の器官の異常を発見するものである。
従来の医療診断方式に比べ、非線形診断は、器官の形態を検査するのではなく、生理過程のバランスを重視するものであるため、広く普及している。
非線形診断により、器官形態に未だ変化が生じていない時に、それを診断することができ、精油の使用を組み合わせて、リラックス効果を達成することができる。
【０００５】
精油は、光合成により生成された有機化合物である芳香物質である。
一般に植物から、芳香因子が抽出される。
精油は、根、幹、樹皮、茎、葉、花などの植物の各部位に広く存在している。
花弁中の精油は、自己に有益な昆虫を惹きつけ、同時に自己に有害な昆虫を遠ざけることができる。
よって、人間が精油のこの特質を生活に利用すれば、害虫を駆逐でき、自身の健康を保持することができる。
【考案の概要】
【考案が解決しようとする課題】
【０００６】
本考案の目的は発射電波を人体へと発射し人体が反射電波をフィードバックすることで、発射電波及び反射電波を分析し、使用する精油の種類及び用量のアドバイスに用いる非線形診断分析設備を提供することにある。
【課題を解決するための手段】
【０００７】
本考案による非線形診断分析設備は、少なくとも１個のセンサー、検知ユニット、コントロールユニットを有する。
該センサーは、一端が被験者の頭部と連接し、発射電波を発射し、該センサーを通して、被験者の頭部は反射電波をフィードバックする。
該検知ユニットは、該センサーと連接し、該センサーを駆動し、該センサーに該発射電波を発射させ、反射電波を受信する。
該コントロールユニットは、該検知ユニットと連接し、該検知ユニットをコントロールする。
該コントロールユニットは、演算ユニットを有し、該反射電波を演算し、該発射電波と該反射電波とを比較対象し、被験者の検査情報を取得する。
該演算ユニットは、精油データベースを有し、複数種の精油情報と精油使用方法を確立する。
これにより、該演算ユニットは、該反射電波を演算後、検査情報と該精油データベースとを比較対象し、適した精油の種類と用量を選び出する。
該コントロールユニットは、スクリーンを有し、該検査情報を表示し、また使用が推奨される精油の種類と精油の使用方法を表示する。
【０００８】
上記の非線形診断分析設備において、該検査情報は、被験者のすべての器官の構造及び検査数値である。
【０００９】
上記の非線形診断分析設備において、該コントロールユニットは、モニターと連接し、被験者に見せることができる。
【００１０】
上記の非線形診断分析設備において、該コントロールユニットは、ノートＰＣである。
【００１１】
上記の非線形診断分析設備において、該コントロールユニットは、コンピューター本体である。
【考案の効果】
【００１２】
本考案の実施形態を応用する特徴の一つは、非線形診断分析設備により、発射電波を人体へと発射し人体が反射電波をフィードバックすることで、発射電波及び反射電波を分析し、使用する精油の種類及び用量のアドバイスに用いることができる。
【図面の簡単な説明】
【００１３】
【図１】本考案一実施形態の構造ブロックチャートである。
【図２】本考案一実施形態の使用フローチャートである。
【考案を実施するための形態】
【００１４】
（一実施形態）
図１に示すとおり、本考案の実施形態による非線形診断分析設備１は、少なくとも１個のセンサー１０、検知ユニット１１、コントロールユニット１２を有する。
【００１５】
少なくとも１個のセンサー１０は、一端が被験者の頭部と連接し、発射電波を発射し、センサー１０を通して、被験者の頭部は反射電波をフィードバックする。
【００１６】
検知ユニット１１は、センサー１０と連接し、センサー１０を駆動し、センサー１０に上記の発射電波を発射させ、反射電波を受け取る。
【００１７】
コントロールユニット１２は、ノートＰＣ或いはコンピューター本体で、検知ユニット１１と連接し、検知ユニット１１をコントロールする。
コントロールユニット１２は、演算ユニット１３を有し、反射電波を演算し、発射電波と反射電波とを比較対象し、被験者の検査情報を取得する。
演算ユニット１３は、精油データベース１４を有し、複数種の精油情報と精油使用方法を確立する。
コントロールユニット１２は、スクリーン１５を有し、検査情報を表示し、また使用が推奨される精油の種類と精油の使用方法を表示することができる。
【００１８】
図１、図２に示すとおり、使用時には、センサー１０と被験者の頭部とを連接する。
次に、コントロールユニット１２は、コントロール信号を検知ユニット１１へと発信する。
これにより、検知ユニット１１は、センサー１０を駆動し、発射電波を被験者の頭部へと発射させる。
続いて、被験者の頭部は、センサー１０を通して反射電波を検査ユニット１１へとフィードバックする。
さらに、反射電波をコントロールユニット１２へと伝送し、演算ユニット１１により反射電波を演算し、反射電波と発射電波とを比較対象後、被験者の検査情報を得ることができる。
検査情報と精油データベース１４とを比較対象し、適した精油の種類と用量を選び出す。
選び出された精油の種類、用量、及び使用方法を、スクリーン１５上に表示し、被験者はこれを参考に使用することができる。
或いは、選び出された精油の種類、用量、及び使用方法を、モニター１６上に表示し、これにより被験者は便利に見ることができる。
【００１９】
非線形診断分析設備１において、検査情報は、被験者のすべての器官構造及び検査数値である。
よって、本考案は以下の長所と効果を有する。
1.被験者の器官を分析する際、人体に傷害を与えることはない。
2.精油の使用は、人体に傷害を与えることはない。
【００２０】
前述した本考案の実施形態は本考案を限定するものではなく、よって、本考案により保護される範囲は後述される実用新案登録請求の範囲を基準とする。
【符号の説明】
【００２１】
１  非線形診断分析設備
１０  センサー
１１  検知ユニット
１２  コントロールユニット
１３  演算ユニット
１４  精油データベース
１５  スクリーン
１６  モニター
【図１】
0003200926.tif 000003
【図２】
0003200926.tif 000004